【事件の表示】
　平成１０年特許願第１４１７３１号「介護システム」拒絶査定不服審判事件〔平成１１年１２月１０日出願公開、特開平１１−３３８９４１〕について、次のとおり審決する。
【結　論】
　本件審判の請求は、成り立たない。
【理　由】
１．手続の経緯
　本願は、平成１０年５月２２日の出願であって、平成１５年４月８日付で拒絶査定がなされ、これに対し、同年５月１５日に審判請求がなされるとともに、同年６月１６日付で手続補正がなされたものである。
　
２．平成１５年６月１６日付の手続補正についての補正却下の決定
［補正却下の決定の結論］
　平成１５年６月１６日付の手続補正（以下「本件補正」という。）を却下する。
　
［理由］
（１）本件補正
　本件補正により、特許請求の範囲の請求項１は、
　「被介護人の状態をカメラの映像から確認するモニタ用サブシステムと、被介護人の失禁を検出して検出信号を発生する失禁検出用サブシステムと、被介護人の入退室や徘徊を検出して検出信号を発生する徘徊検出用サブシステムとを具備する介護システムにおいて、上記カメラの映像信号や上記検出信号を受信する信号受信手段、上記信号受信手段の受信した信号の内、予め設定された内容の信号を受信するとその内容を表示する表示手段、上記信号受信手段の受信した信号の内容が被介護人に対して介護する必要のある内容の場合に指令信号を発生する信号出力手段、および個々の被介護人の介護に関わる情報を記憶する記憶手段から構成されるケアステーションと、上記指令信号に基づいて介護人の携帯する携帯端末に介護を指示するための信号を配布する信号配布手段とを設け、ケアステーションでは、個々の被介護人毎に設定された時間間隔で信号受信手段を介して入力されたカメラの映像に異常が無ければ信号出力手段から信号を出力させずにその時の時刻と異常なしという情報を記憶手段に記憶させ、カメラの映像に異常があれば信号出力手段から異常の発生を示す信号を出力させて、信号配布手段により携帯端末に異常の発生を示す信号を配布させることを特徴とする介護システム。」
と補正された。
　上記補正は、請求項１に記載した発明を特定するために必要な事項である「信号受信手段を介して入力された」を「個々の被介護人毎に設定された時間間隔で信号受信手段を介して入力された」と限定し、「ケアステーションでは、…入力されたカメラの映像に異常が無ければ信号出力手段から信号を出力させず、」を「ケアステーションでは、…入力されたカメラの映像に異常が無ければ信号出力手段から信号を出力させずにその時の時刻と異常なしという情報を記憶手段に記憶させ、」と限定するものであるから、本件補正は、特許法第１７条の２第４項第２号の特許請求の範囲の減縮を目的とするものに該当する。
　そこで、本件補正後の請求項１に記載された発明（以下「本願補正発明」という。）が特許出願の際独立して特許を受けることができるものであるかについて以下に検討する。
　
（２）引用例・周知例
　原査定の拒絶の理由に引用された特開平９−３２７４４２号公報（以下「引用例」という。）には、以下（ａ）〜（ｋ）の事項が記載されている。
（ａ）「【請求項１】被介護者のおむつの濡れを検知する排尿検知センサと、この排尿検知センサから発信された信号をワイヤレスで受信する受信機と、前記被介護者のベッド上の動きを検知する振舞センサと、前記ベッドからの離脱を検知する離床センサと、前記被介護者の室内での動きを検知する室内エリアセンサと、前記室内と室外との間を出入する前記被介護者の動きを検知する出入口検知センサと、前記被介護者のトイレの出入を検知するトイレ検知センサとを備え、さらに、前記受信機および各センサからの検知情報を入力するセンサ管理中継システムと、このセンサ管理中継システムから出力された情報を入力して制御を行うデータコントローラと、このデータコントローラからの情報を入力し管理するセンタ管理コンピュータと、所要の情報を介護者または管理人のポケットベルへ発信する構内ポケットベルコントローラとを設けたことを特徴とする高齢者介護補助システム。
【請求項２】センタ管理コンピュータは、各センサからの検知情報をそれぞれに設定した時間経過後に構内ポケットベルコントローラへ出力することを特徴とする請求項１記載の高齢者介護補助システム。」
（ｂ）「【００１４】９はセンサ管理中継システムで、各部屋毎や廊下の所要部に設けられるが、図１，図２では１個室を示している。１０は排尿検知部で、被介護者のおむつに装着された排尿検知センサ１１と被介護者名送出部１２および送信機１３で構成されており、排尿によりおむつが濡れると排尿検知センサ１１がこれを検知して送信機１３から信号を発信する。１４は室外受信機で被介護者が室内にいる時、廊下等室外にいるときのいずれの場合でも室外受信機１４が送信機１３からの信号を受信し、それぞれセンサ管理中継システム９に入力する。」
（ｃ）「【００１６】２１は前記個室１５内での被介護者の動きを検知する室内エリアセンサ、２２は前記個室１５の出入口に設けられた出入口検知センサで、被介護者の個室１５からの出入を監視し、かつ外部からの侵入者がある場合にそれを検知する。」
（ｄ）「【００１９】一方、センサ管理中継システム９は上記各種センサの情報が入力されるもので、各個室１５毎に１個づつ設置され、また、必要に応じて廊下等にも設けられる。入力された情報は次段のデータコントローラ２へ送られる。」
（ｅ）「【００２０】データコントローラ２はセンサ管理中継システム９からの情報を受けてこれをセンタ管理コンピュータ１へ送るもので、各個室１５のセンサ管理中継システム９で受けたデータを一括してセンタ管理コンピュータ１で理解できるデータに変換するとともに、ノイズ等の障害によるデータエラーを修正する。」
（ｆ）「【００２１】センタ管理コンピュータ１では各被介護者の各種データを保管し、ディスプレイ４に表示させ、かつプリンタ５に記録される。一方、センタ管理コンピュータ１では各種センサから受けた情報を選択して所要時間経過後、つまり入力された情報がノイズ等でないと、確定してから構内ポケットベルコントローラ３へ送り、必要な情報については介護者または管理人の所持するポケットベル８に向け送信し、介護者または管理人に被介護者に発生した異常等の変化を知らせる。」
（ｇ）「【００２２】また、センタ管理コンピュータ１は被介護者のデータを解析するため各種データを長期間にわたって保管して、被介護者の生活リズム、被介護者に設定したデータ内容、被介護者の有するデータを学習し、必要な補正をし、保存する。これらはディスプレイ４に表示でき、プリンタ５で記録することもできる。」
（ｈ）「【００２３】構内ポケットベルコントローラ３は施設等の構内で介護者または管理人の所持するポケットベル８をコントロールするもので、数字の組み合わせでどこで被介護者に何が起きたかを構内の介護者また管理人に知らせる。」
（ｉ）「【００２８】図２の個室１５にいる被介護者は、昼は個室１５内および室外も自由行動で歩くことができ、夜は室内のみにいるのが原則である。被介護者が下記に示すような状態になったとき、各センサ１１，１９〜２４がこれらを検知してそれらの信号をセンサ管理中継システム９に入力し、データコントローラ２を介してセンタ管理コンピュータ１に入力し、構内ポケットベルコントローラ３からポケットベル８へ信号が送られる。すなわち、（１）排尿検知センサ１１の出力から被介護者が夜，昼ともおむつが濡れて数分経過したと判断されるとき。」
（ｊ）【００３１】（４）出入口検知センサ２２の出力から被介護者が夜、室外へ出て３秒経過したと判断されるとき。」
（ｋ）「【００３５】（８）室内エリアセンサ２１の出力から被介護者が昼間個室１５内で６０分間全く動きがないと判断されるとき。」
　上記（ａ）、（ｆ）のように、センタ管理コンピュータ１は、情報を処理し管理するものであり、各センサ１１、１９〜２４からの検知情報をそれぞれ設定した時間経過後に構内ポケットベルコントローラ３へ出力するのであるから、上記（ｉ）の「（１）排尿検知センサ１１の出力から被介護者が夜，昼ともおむつが濡れて数分経過したと判断されるとき。」、上記（ｊ）の「（４）出入口検知センサ２２の出力から被介護者が夜、室外へ出て３秒経過したと判断されるとき。」、上記（ｋ）の「（８）室内エリアセンサ２１の出力から被介護者が昼間個室１５内で６０分間全く動きがないと判断されるとき。」の各々について、センタ管理コンピュータ１が判断していることは明らかである。また、上記（ｆ）の「被介護者の各種データを保管する」のは高齢者介護補助システムとしてであるから、「各種データ」が「介護に関わる各種データ」であることは明らかである。
　したがって、上記（ａ）〜（ｋ）の記載及び図面の記載から、引用例には、
　「被介護者のおむつの濡れを検知して信号を発信する排尿検知部と、
　該信号を受信しておむつの濡れが検知されたことを示す検知情報を出力する受信機と、
　個室の出入口に設けられ、被介護者の個室への出入を監視し被介護者の個室への出入を検知して被介護者の個室への出入に関する検知情報を出力する出入口検知センサと、
　被介護者の個室内での動きを検知して被介護者の個室内での動きに関する検知情報を出力する室内エリアセンサと、
　センサ管理中継システム及びデータコントロールセンタを介して前記受信機及び各センサからの検知情報が入力され、受信機及び各センサからの検知情報から所定の判断がされるとき、該検知情報を構内ポケットベルコントローラに送るセンタ管理コンピュータと、
　検知情報が送られてくると、必要な情報を介護者の所持するポケットベルに送信し、該ポケットベルに被介護者に何の異常が起きたかを表示させて介護者に通報する構内ポケットベルコントローラとを備えた高齢者介護補助システムであって、
　前記センタ管理コンピュータが、
　前記受信機からのおむつの濡れが検知されたことを示す検知情報から、被介護者のおむつが濡れて数分経過したと判断されるとき、該検知情報を構内ポケットベルコントローラに送り、
　出入口検知センサからの被介護者の個室への出入に関する検知情報から、夜は室内のみにいるのが原則である被介護者が夜に室外へ出て３秒経過したと判断されるとき、該検知情報を構内ポケットベルコントローラに送り、
　室内エリアセンサからの被介護者の個室内での動きに関する検知情報から、被介護者が昼間個室内で６０分間全く動きがないと判断されるとき、該検知情報を構内ポケットベルコントローラに送るものであり、
　また、各被介護者の介護に関わる各種データを保管してディスプレイに表示し、さらに、該各種データを解析するために長期間にわたって保管するものである
高齢者介護補助システム。」
の発明（以下「引用例に記載された発明」という。）が記載されていると認められる。
　
　特開昭６３−２８３６２２号公報（以下「周知例１」という。）には、「第１図において、送信ユニット（Ｂ）はベッドに固定した生体情報監視装置（Ａ）に一体的に結合されている。この送信ユニット（Ｂ）は、生体情報監視装置（Ａ）で測定された患者の生体情報、例えば血圧、体温、脈拍数、酸素飽和度のデータと、その他の情報、例えば警告信号等を第２図の受信ユニット（Ｃ）に遠隔転送する。」（２頁左上欄３〜９行）、「さらに装置（Ａ）は、演算制御部の出力を表示する表示部（６）…を有する。」（２頁右上欄１〜６行）、「生体情報監視装置（Ａ）は…送信ユニット（Ｂ）に接続されていることを認識する。またアラーム状態が発生した場合、演算制御部（２）から出力される。アラーム状態情報、アラームの生じた指示値、生体情報監視装置（Ａ）の設置場所の各データがパラレルシリアル変換部（４）から端子（ｄ）を介して送信ユニット（Ｂ）に送出されるようマルチプレクサ（３）が制御される。」（２頁右上欄１４行〜同頁左下欄２行）、「第２図の受信ユニット（Ｃ）は、送信ユニット（Ｂ）から送信されたアラーム状態情報、アラームの生じた指示値、および生体情報監視装置（Ａ）の設置場所のデータを受信して、…制御部から出力されるアラーム状態情報、アラームの生じた指示値、生体情報監視装置（Ａ）の設置場所を示す各データをディジタル表示する表示部（１７）…を有する。」（２頁左下欄７〜２０行）、「以上のような構成を組むことによって、生体情報監視装置で得た指示値が、アラーム状態になった場合、受信ユニットを持っている看護婦或いは医師は、送信ユニットからの信号によって、呼出し音と共に患者の異常状態を知ることが出来…る。」（３頁右下欄８〜１５行）と記載されている。
　上記の記載及び図面の記載から、周知例１には、
　患者の状態についてのアラーム状態情報等の情報を発生し、発生したアラーム状態情報等の情報を受信ユニットに遠隔転送して、受信ユニットに該アラーム状態情報等の情報を表示させて看護師等関係者に知らせる生態情報監視装置において、生態情報監視装置自体にも、発生され受信ユニットに遠隔転送され表示されるアラーム状態情報等の情報を表示する表示部を設けること、
が記載されていると認められる。
　
　特開平９−２５３０５７号公報（以下「周知例２」という。）には、「【０００７】本発明は…患者と患者以外の可動物体とを区別して正確に患者のみを判別し、かつ、ベッド上に患者がいる際、その行動を精度良く判定し、実際の病室内環境で誤動作を極めて少なくして異常を監視することのできる装置を提供することを目的とする。」、「【００１２】画像取り込み手段１は、スポット投影器１０３ａ、１０３ｂ、スポット投影器切換手段１０４、撮像機１０５からなる。… 該スポット光群は対象病室に投影され、画像取込手段１内の撮像機１０５から画像データとして撮像サイクル毎に取り込まれる。」、「【００２１】患者位置認識手段６は、第２参照座標データと最新スポット座標データとの差分をとることにより移動スポットを抽出し、それをもとに患者の位置を認識する。」、「【００２２】移動物体認識手段４…内では撮像サイクル毎に算出される最新スポット座標データは前スポット座標データと比較され、連続２回の撮像の間に移動したスポットが検出される。かような移動スポットが検出されることは病室内の移動物体が連続２回の撮像サイクルの間に変位したことを示す。すなわちその移動物体こそは患者である。逆に、かような移動スポットが検出されなかったならば、病室内の患者が静止していることを示す。」、「【００２３】患者姿勢認識手段８は、第１参照座標データと最新スポット座標データの差分をとり、そのスポット移動量から患者もしくは移動物体の三次元情報、特に高さ情報を認識する。」、「【００２４】これら、移動物体認識手段４、患者位置認識手段６、患者姿勢認識手段８での判定結果は患者状態認識手段９へ入力され、まず患者位置認識手段６の結果を移動物体認識手段４の結果で補正しながら病室内の患者の位置を特定する。その上で患者姿勢認識手段８の結果を用いて、患者の姿勢すなわち、「立つ」、「座る」、「倒れる」等を判定する。」、「【００２５】その後、該患者状態認識手段９の結果はアラーム発生手段１０へ送られる。アラーム発生手段１０には、ナースは監視すべき患者の容態に合わせ、本発明の装置を作動させる前に、その患者が危険であると考えられる位置及び姿勢状態、状態継続時間が設定してあり、患者が特定の位置で特定の姿勢状態にあることが前記設定時間以上続いた場合に、看護している人にアラームを自動的に発生する。」、「【００２８】さて、ここで本発明の装置の具体的設置状況を述べる。図２は本発明の装置を病室２０へ設置した状態を示す説明図である。２４はナースステーションである。病室２０の中に、ベッド２１が設置されている。ベッド２１にはベッド上の患者に反応するベッドセンサ２２を設置する。」、「【００２９】病室２０には、天井の隅にベッド２１を鳥瞰する角度でセンサ２３が設置されている。該センサ内には画像取り込み装置１が内蔵されている。病室２０の窓２９には、窓外からの太陽光、特に近赤外線領域の光による外乱を低減するための赤外線遮断フィルム３０が貼られている。これにより夜間のみならず、ナース、看護人の少ない早朝もしくは昼間でも本発明の装置を作動させることが可能となる。ナースステーション２４の中には、データ処理装置２６とアラーム通報手段２７が��る。また同時にデータ処理装置２６とセンサ２３を電気的に接続するケーブル２５、該データ処理装置２６とベッドセンサ２２を電気的に接続するケーブル２８もある。」、「【００３３】また、図１に示すエリア記憶手段１４および最新スポット座標データ算出手段２および前スポット座標データ記憶手段３および第１参照座標データ記憶手段７および第２参照座標データ記憶手段５および移動物体認識手段４および患者位置認識手段６および患者姿勢認識手段８および患者状態判断手段９およびアラーム発生手段１０はデータ処理装置２６内のソフトウエアにて実現し、具体的なデータ記憶場所としてはデータ処理装置２６内のメモリを使用している。」と記載されている。
　上記の記載及び図面の記載から、周知例２には、
　病室２０に設置されたセンサ２３が内蔵する画像取り込み装置１内の撮像機１０５は、監視すべき患者がいる病室２０の中を撮像し、撮像した画像データをナースステーションの中にあるデータ処理装置２６に出力し、データ処理装置２６は、画像データを基に監視すべき患者の状態を認識し、患者の状態に異常があると認識されたとき看護人にアラームを自動的に発生すること、
が記載されていると認められる。
　
　特開平６−９６３７８号公報（以下「周知例３」という。）には、「【０００１】【産業上の利用分野】本発明は、監視カメラを利用することにより、現実に監視を実施している監視実施位置から遠く離隔した監視位置を監視する監視装置に関する。」、「【００１３】【実施例】以上説明した本発明の構成、作用を一層明らかにするために、以下本発明の監視装置の好適な実施例について説明する。図１は、地下１階から地上６階のビルディングの保安監視用に構築された監視装置の全体構成を示すブロック図である。」、「【００１４】図示するように本実施例の監視装置は、地下１階（フロアＢ）に設置されるメイン制御装置ＭＣ、各奇数フロア（１Ｆ，３Ｆ，５Ｆ）に設置されるローカル制御装置ＬＣ１，ＬＣ２，ＬＣ３、外部侵入の可能性があるフロア（本実施例では１Ｆ，５Ｆ，６Ｆを想定）に設置される３個の赤外線センサＳｌ（ｌ＝１，２，３）、そして各地上フロアにそれぞれ４台設置される監視カメラＣ１ｎ〜Ｃ４ｎ（ｎはフロアを示す１〜６までの数値である）とから構成さる。」、「【００１７】メイン制御装置ＭＣは、ＥＩＡ規格のＲＳ−２３２Ｃシリアルインタフェイスポートを標準装備したパーソナルコンピュータＰＣを主たる制御機器として構成されるもので、監視カメラＣ１ｎ〜Ｃ４ｎの撮像した総ての画像情報および赤外線センサＳｌの検出情報がここに集約され、かつ、ここから各ローカル制御装置ＬＣｍへの制御情報が発信される。」、「【００３４】画像情報処理装置ＲＣ２は、リモコンリレーＲＣ１同様にインタフェイス回路Ｉ４によって制御される装置で、フロア１Ｆ，２Ｆに設置される監視カメラＣ１１〜Ｃ４１，Ｃ１２〜Ｃ４２の合計８台からの画像情報を制御し、８画面を切り替えて出力する他に、２つの４分割画面を生成するなどの機能を有する。」、「【００８３】図１８は、ここで実行される自動異常検知の処理説明図である。監視カメラＣ１ｎ〜Ｃ４ｎから入力された画像情報（図１８（Ａ））は、パーソナルコンピュータＰＣの所定記憶領域に一旦記憶される。そして、この記憶した画像情報を処理し、周辺との相違が大きな画像情報の一部分を抽出する（図１８（Ｂ））。即ち、周辺との相違が大きな画像情報を抽出することで、図示するような輪郭情報を浮かび上がらせることが可能となる。そして、この様な処理を同一の監視カメラＣ１ｎ〜Ｃ４ｎから入力される僅かな時間経過後の画像情報についても再度実行し、更に、こうして得られた複数の輪郭情報の差分を演算することで画像情報に内包される「動く映像」（図１８（Ｃ））を抽出することができる。そして、この「動く映像」が予め想定されていないパターンで抽出されたとき、前記ステップ２２２の赤外線センサＳｌの検出結果による異常判定と同様にステップ５００台の緊急処理モードへと移行するのである。」、「【００９５】図１５は、…緊急処理モードのフローチャートである。このモードは、センサＳ１による検出結果や画像の解析により、何らかの異常の可能性が、自動的に検出された場合に実行される。」、「【００９６】この動作モードに入ると、異常が検出された監視カメラＣ１ｎ〜Ｃ４ｎが特定され（ステップ５０４）、その監視カメラからの映像をモニタＭＣ１５に表示する（ステップ５０６）。続いてＣＧ画像を図２１に示すように緊急時用の表示態様とし（ステップ５０８）、メッセージ表示部ＭＣ１５ｂに異常情報を表示する（ステップ５１０）。なお、この時のメッセージの一例としては、異常発生のフロアや関係する監視カメラの番号、異常発生の時刻等の表示の他、…緊急時マニュアルを具体的に再現する方法も好ましい。」と記載されている。
　上記の記載及び図面の記載から、周知例３には、
　建物の各フロアに設置された監視カメラＣ１ｎ〜Ｃ４ｎは、監視対象を撮像し、撮像された画面情報は、８画面を切り替えて出力する機能などを有する画像情報処理装置ＲＣ２を介して、メイン制御装置ＭＣを構成するパーソナルコンピュータＰＣに入力され、パーソナルコンピュータＰＣは、画像情報を処理して「動く映像」を抽出し、この「動く映像」が予め想定されていないパターンで抽出されたとき、監視対象の状態に異常があると判定し、異常の発生を示す情報をメッセージ表示部ＭＣ１５ｂに表示すること、
が記載されていると認められる。
　
（３）対比
　本願補正発明（以下「前者」という。）と引用例に記載された発明（以下「後者」という。）とを対比すると、
（イ）後者の「被介護者のおむつの濡れを検知して信号を発信する排尿検知部」と「該信号を受信しておむつの濡れが検知されたことを示す検知情報を出力する受信機」とで、前者の「被介護人の失禁を検出して検出信号を発生する失禁検出用サブシステム」に相当し、
（ロ）後者において、「出入口センサの出力する被介護者の個室への出入に関する検知情報」は、夜は室内のみにいるのが原則である被介護者が夜に室外へ出て３秒経過したと判断される際に用いられ、夜は室内のみにいるのが原則である被介護者が夜に室外へ出て３秒経過することは徘徊とみなせるから、後者の「個室の出入口に設けられ、被介護者の個室への出入を監視し被介護者の個室への出入を検知して被介護者の個室への出入に関する検知情報を出力する出入口検知センサ」は、前者の「被介護人の入退室や徘徊を検出して検出信号を発生する徘徊検出用サブシステム」に相当し、
（ハ）後者の「高齢者介護補助システム」は、前者の「介護システム」に相当し、
（ニ）本願明細書の発明の詳細な説明に【発明の実施の形態】として「ここにケアステーション７は複数のパーソナルコンピュータ（以下、ＰＣと略す）ＰＣ１４ａ〜１４ｊから構成される。」（段落【００１１】）と記載されているように、前者の「ケアステーション」はコンピュータから構成されるものを包摂し、一方で、後者の「センタ管理コンピュータ」もコンピュータから構成される介護のための設備といえるから、後者の「センタ管理コンピュータ」は、前者の「ケアステーション」に相当し、
（ホ）後者の「センタ管理コンピュータ」は、受信機及び各センサからの検知情報が入力されるのに、そのための入力手段を有することは明らかであり、該入力手段は、前者の「信号受信手段」に相当し、
（ヘ）後者の「センタ管理コンピュータ」は、各被介護者の介護に関わる各種データを保管してディスプレイに表示するものであり、該ディスプレイは「センタ管理コンピュータ」の付属物といえるから、後者の「センタ管理コンピュータ」が、各被介護者の介護に関わる各種データを保管し、該保管された各種データを表示する「表示手段」を有することは明らかであり、
（ト）後者のセンタ管理コンピュータから構内ポケットベルコントローラに送る「検知情報」は、それに基づいて構内ポケットベルコントローラが必要な情報について介護者の所持するポケットベルに送信するものであるから、前者の「指令信号」に相当し、
（チ）後者の「センタ管理コンピュータ」は、前記受信機からのおむつの濡れが検知されたことを示す検知情報から、被介護者のおむつが濡れて数分経過したと判断されるとき、該検知情報を構内ポケットベルコントローラに送り、出入口検知センサ２２からの被介護者の個室への出入に関する検知情報から、夜は室内のみにいるのが原則である被介護者が夜に室外へ出て３秒経過したと判断されるとき、該検知情報を構内ポケットベルコントローラに送り、室内エリアセンサからの被介護者の個室内での動きに関する検知情報から、被介護者が昼間個室１５内で６０分間全く動きがないと判断されるとき、該検知情報を構内ポケットベルコントローラに送るものであるから、そのための手段を有することは明らかであり、該手段は、前者の「信号受信手段の受信した信号の内容が被介護人に対して介護する必要のある内容の場合に指令信号を発生する信号出力手段」に相当し、
（リ）後者の「センタ管理コンピュータ」は、各被介護者の介護に関わる各種データを保管してディスプレイに表示し、さらに、該各種データを解析するために長期間にわたって保管するものであるから、そのための記憶手段を有することは明らかであり、該記憶手段は、前者の「個々の被介護人の介護に関わる情報を記憶する記憶手段」に相当し、
（ヌ）後者の「ポケットベル」は、前者の「携帯端末」に相当し、
（ル）後者の「検知情報が送られてくると、必要な情報について介護者の所持するポケットベルに送信し、該ポケットベルに被介護者に何の異常が起きたかを表示させて介護者に通報する構内ポケットベルコントローラ」は、前者の「指令信号に基づいて介護人の携帯する携帯端末に介護を指示するための信号を配布する信号配布手段」に相当している。
　したがって、両者は、
　「被介護人の失禁を検出して検出信号を発生する失禁検出用サブシステムと、被介護人の入退室や徘徊を検出して検出信号を発生する徘徊検出用サブシステムとを具備する介護システムにおいて、上記検出信号を受信する信号受信手段、表示手段、上記信号受信手段の受信した信号の内容が被介護人に対して介護する必要のある内容の場合に指令信号を発生する信号出力手段、および個々の被介護人の介護に関わる情報を記憶する記憶手段から構成されるケアステーションと、上記指令信号に基づいて介護人の携帯する携帯端末に介護を指示するための信号を配布する信号配布手段とを設けたことを特徴とする介護システム。」
である点で一致し、以下の点で相違している。
［相違点１］
　前者の表示手段が、信号受信手段の受信した信号の内、予め設定された内容の信号を受信するとその内容を表示するのに対して、後者の表示手段（ディスプレイ）は、被介護人（被介護者）の介護に関わる保管された各種データを表示するものであり、前者のようなものではない点。
［相違点２］
　前者は、被介護人の状態をカメラの映像から確認するモニタ用サブシステムを具備し、ケアステーションが、カメラの映像信号も受信し、個々の被介護人毎に設定された時間間隔で信号受信手段を介して入力されたカメラの映像に異常が無ければ信号出力手段から信号を出力させずにその時の時刻と異常なしという情報を記憶手段に記憶させ、カメラの映像に異常があれば信号出力手段から異常の発生を示す信号を出力させて、信号配布手段により携帯端末に異常の発生を示す信号を配布させるのに対して、後者は、被介護者の個室内での動きを検知して被介護者の個室内での動きに関する検知情報を出力する室内エリアセンサを具備するが、被介護人の状態をカメラの映像から確認するものではなく、ケアステーション（センタ管理コンピュータ）も、室内エリアセンサからの被介護者の個室内での動きに関する検知信号（検知情報）から、被介護人（被介護者）が昼間個室内で６０分間全く動きがないと判断されるとき、指令信号（該検知情報）を信号配布手段（構内ポケットベルコントローラ）に送り、信号配布手段（構内ポケットベルコントローラ）により必要な情報を携帯端末（ポケットベル）に送信し、携帯端末（ポケットベル）に被介護人（被介護者）に何の異常が起きたのかを表示させて介護人（介護者）に通報するものであるが、前者のようなものではない点。
　　
（４）判断
　［相違点１］について検討する。
　周知例１にみられるように、情報を発生し、発生した情報を端末に送信して、端末に該情報を表示させて関係者に知らせる情報処理装置において、情報処理装置自体にも、発生され端末に送信され表示される情報を表示する表示部を設けることが周知のことであるから、後者のケアステーション（センタ管理コンピュータ）において、各サブシステム（受信機又は各センサ）からの検知信号（検知情報）から、被介護者のおむつが濡れて数分経過した、又は、夜は室内のみにいるのが原則である被介護者が夜に室外へ出て３秒経過したなど判断されるとき、すなわち、検知信号（検知情報）の内容が被介護人（被介護者）の状態の異常を示すと判断されるとき、指令信号（該当する検知情報）を信号配布手段（構内ポケットベルコントローラ）に送るのに加えて、ケアステーション（センタ管理コンピュータ）の表示手段（ディスプレイ）も該当する検知情報の内容を表示するようにして、前者のようにすることは、当業者が容易になし得たことである。
　［相違点２］について検討する。
　周知例２、３にみられるように、監視業務において、監視対象の近くに監視対象を撮像する撮像機を設け、監視対象の状態を判断する装置が、撮像機からの撮像された画像情報を受信して、該画像情報を基に監視対象の状態を判断して、監視対象の状態に異常があると判断されたとき監視対象の状態の異常を示す情報を出力することが周知のことであるから、後者において、被介護者の個室内での動きを検知して被介護者の個室内での動きに関する検知情報を出力する室内エリアセンサに変えて、被介護人の状態を確認するためのカメラを設け、ケアステーション（センタ管理コンピュータ）が、カメラの映像信号も受信し、カメラの映像から被介護人（被介護者）の状態に異常が無いと判断されたとき信号出力手段から信号を出力させず、カメラの映像から被介護人（被介護者）の状態に異常があると判断されたとき信号出力手段から異常の発生を示す信号を出力させて、信号配布手段（構内ポケットベルコントローラ）により携帯端末（ポケットベル）に異常の発生を示す信号を配布させるようにすることは、当業者が格別に思考することなくなし得たことである。
　その際に、医師や看護師による患者の状態の監視において、患者が重篤のときは連続して監視し、患者が重篤とはいえないが容態が軽くはないときには頻繁に監視し、患者の容態が軽く安定しているときには時間間隔をあけた巡回監視ですませることがあるように、監視業務において、監視対象や状況に応じた時間間隔で監視することが周知のことであり、また、業務を遂行したときに、遂行した日時と結果を記録して残すことも一般に慣用されており、人間が行う業務処理を機械が行う業務処理に適用することは当業者が当然に考えることであるから、さらに、個々の被介護人毎に設定された時間間隔でカメラの映像を入力するようにし、カメラの映像に異常が無ければその時の時刻と異常なしという情報を記憶手段に記憶させるようにして、前者のようにすることは、当業者が容易に想到し得たことである。
　
　そして、本願補正発明の作用効果も、引用例に記載された発明及び周知の事項の作用効果から、当業者が容易に予測し得たことである。
　したがって、本願補正発明は、引用例に記載された発明及び周知の事項に基いて、当業者が容易に発明をすることができたものであるから、特許法第２９条第２項の規定により特許出願の際独立して特許を受けることができないものである。
　
（５）むすび
　以上のとおり、本件補正は、平成１５年改正前特許法第１７条の２第５項で準用する同法第１２６条第４項に違反するものであり、同法第１５９条第１項で準用する同法第５３条第１項の規定により却下されるべきものである。
　
３．本願発明について
（１）本願発明
　平成１５年６月１６日付の手続補正は上記のとおり却下されたので、本願の請求項１に係る発明は、平成１５年１月６日の手続補正書により補正された明細書及び図面の記載からみて、その特許請求の範囲の請求項１に記載された次のとおりのものと認める。
　「被介護人の状態をカメラの映像から確認するモニタ用サブシステムと、被介護人の失禁を検出して検出信号を発生する失禁検出用サブシステムと、被介護人の入退室や徘徊を検出して検出信号を発生する徘徊検出用サブシステムとを具備する介護システムにおいて、上記カメラの映像信号や上記検出信号を受信する信号受信手段、上記信号受信手段の受信した信号の内、予め設定された内容の信号を受信するとその内容を表示する表示手段、上記信号受信手段の受信した信号の内容が被介護人に対して介護する必要のある内容の場合に指令信号を発生する信号出力手段、および個々の被介護人の介護に関わる情報を記憶する記憶手段から構成されるケアステーションと、上記指令信号に基づいて介護人の携帯する携帯端末に介護を指示するための信号を配布する信号配布手段とを設け、ケアステーションでは、信号受信手段を介して入力されたカメラの映像に異常が無ければ信号出力手段から信号を出力させず、カメラの映像に異常があれば信号出力手段から異常の発生を示す信号を出力させて、信号配布手段により携帯端末に異常の発生を示す信号を配布させることを特徴とする介護システム。」
　
（２）引用例
　原査定の拒絶の理由に引用された引用例及び該引用例に記載された発明は、上記２．（２）に記載したとおりである。
　
（３）対比・判断
　上記２．で検討した本願補正発明は、本願の請求項１に係る発明の「信号受信手段を介して入力された」を「個々の被介護人毎に設定された時間間隔で信号受信手段を介して入力された」と限定し、「ケアステーションでは、…入力されたカメラの映像に異常が無ければ信号出力手段から信号を出力させず、」を「ケアステーションでは、…入力されたカメラの映像に異常が無ければ信号出力手段から信号を出力させずにその時の時刻と異常なしという情報を記憶手段に記憶させ、」と限定したものである。
　そうすると、本願の請求項１に係る発明の構成を全て含み、さらに構成を限定した本願補正発明が、上記２．（４）に記載したとおり、引用例に記載された発明及び周知の事項に基いて、当業者が容易に発明をすることができたものであるから、本願の請求項１に係る発明も、同様の理由により、引用例に記載された発明及び周知の事項に基いて、当業者が容易に発明をすることができたものである。
　
（４）むすび
　したがって、本願の請求項１に係る発明は、引用例に記載された発明及び周知の事項に基いて、当業者が容易に発明をすることができたものであるから、特許法第２９条第２項の規定により特許を受けることができない。
　よって結論のとおり審決する。